(57)【要約】【課題】  光ディスク再生装置のオフトラック検出回路でオフトラック信号を検出するときに、アシンメトリディスク再生時に生じるオフトラック信号の誤検出を防止する。【解決手段】  ステータス検出回路５３は、データ間アクセス時とディスク再生時との２つのステータスのうち何れか１つを検出し、コンパレートレベル設定変更回路５４は、データ間アクセス時を示すステータスが検出された場合、光検出器和信号１０００の略中心レベルをオフトラック検出コンパレートレベル１００１に設定し、また、データ再生時を示すステータスが検出された場合、中心レベルよりもピーク側にオフトラック検出コンパレートレベル１００１をシフトさせるように、オフトラック検出コンパレートレベル生成回路１０を制御する。【選択図】      図５
2006302423.tif 000002
【特許請求の範囲】
【請求項１】
複数の情報トラックが並ぶ光ディスク状の記録媒体に照射される光ビームが、データ間アクセスのために、前記複数の情報トラックを横切って移動する際に、前記記録媒体に照射された前記光ビームの反射光レベルに応じて得られる光検出器和信号のレベルを、オフトラック、オントラックの状態を判別する基準となるオフトラック検出コンパレートレベルと比較することにより、オフトラック、オントラックの状態を検出するオフトラック検出回路を有する光ディスク再生装置において、
前記オフトラック検出回路は、
前記光ディスク再生装置のステータスが、データ間アクセス時及び情報トラック読出し時の２つのステータスのうち何れであるかを検出し、検出したステータス情報を出力するステータス検出手段と、
前記ステータス検出手段から出力された前記ステータス情報を受け、前記ステータス情報が前記データ間アクセス時を示すときは、前記オフトラック検出コンパレートレベルを前記光検出器和信号のボトムレベルの変化域の略中心レベルに設定し、また、前記ステータス情報が前記情報トラック読出し時を示すときは、前記オフトラック検出コンパレートレベルを、前記データ間アクセス時の前記光検出器和信号の前記略中心レベルからピークレベル側に所定値だけシフトさせるコンパレートレベル設定変更手段とを備えた
ことを特徴とする光ディスク再生装置。
【請求項２】
請求項１記載の光ディスク再生装置において、
前記オフトラック検出回路は、
前記光検出器和信号のピークレベル寄りで且つ前記ピークレベルを上回らない第１のコンパレートレベルと前記光検出器和信号とを比較し、オフトラック、オントラックの状態を判別する第１のコンパレータと、
前記光検出器和信号のボトムレベル寄りで且つ前記ボトムレベルを下回らない第２のコンパレートレベルと前記光検出器和信号とを比較し、オフトラック、オントラックの状態を判別する第２のコンパレータと、
前記第１及び第２のコンパレータからそれぞれ出力されるオフトラック、オントラックの状態を比較することにより前記光検出器和信号のアシンメトリを判定し、判定結果を前記コンパレート設定変更手段に入力する比較手段とを備え、
前記コンパレート設定変更手段は、前記ステータス検出手段から得られる前記ステータス情報が前記データ間アクセス時を示す場合、前記オフトラック検出コンパレートレベルを前記略中心レベルに設定し、また、前記ステータス情報が前記情報トラック読出し時を示す場合、前記比較手段からアシンメトリであるという判定結果を得たときに、前記オフトラック検出コンパレートレベルを、前記データ間アクセス時の前記光検出器和信号の前記略中心レベルからピークレベル側に前記所定値だけシフトさせる
ことを特徴とする光ディスク再生装置。
【請求項３】
請求項１記載の光ディスク再生装置において、
前記オフトラック検出回路は、
前記光検出器和信号のピークレベル及びボトムレベルの中心である中心コンパレートレベルと前記光検出器和信号とを比較し、オントラック、オフトラックの状態を判別する中心レベルコンパレータと、
前記中心レベルコンパレータによる比較結果に基づき、前記光検出器和信号のアシンメトリを判定するアシンメトリ判定手段とを備え、
前記コンパレート設定変更手段は、前記ステータス検出手段から得られる前記ステータス情報が前記データ間アクセス時を示す場合、前記オフトラック検出コンパレートレベルを前記略中心レベルに設定し、また、前記ステータス情報が前記情報トラック読出し時を示す場合、前記アシンメトリ判定手段からアシンメトリであるという判定結果を得たときに、前記オフトラック検出コンパレートレベルを、前記データ間アクセス時の前記光検出際信号の前記略中心レベルからピークレベル側に前記所定値だけシフトさせる
ことを特徴とする光ディスク再生装置。
【請求項４】
請求項１記載の光ディスク再生装置において、
前記オフトラック検出回路は、
可変のコンパレートレベルを生成する可変コンパレートレベル生成手段と、
前記光検出器和信号を、前記可変コンパレートレベルと比較し、オントラック、オフトラックの状態を判別する可変コンパレータと、
前記可変コンパレータによる比較結果に基づいて前記光検出器和信号のアシンメトリを判定するアシンメトリ判定手段とを備え、
前記可変コンパレートレベル生成手段は、前記ステータス検出手段が前記情報トラック読出し時を示すステータス情報を検出したとき、前記アシンメトリ判定手段において前記アシンメトリが検出されなくなるまで、前記可変コンパレートレベルを、前記光検出器和信号のボトムレベル側からピークレベル側へ上げていき、
前記コンパレート設定変更手段は、前記ステータス検出手段から得られる前記ステータス情報が前記データ間アクセス時を示す場合、前記オフトラック検出コンパレートレベルを前記略中心レベルに設定し、また、前記ステータス情報が前記情報トラック読出し時を示す場合、前記オフトラック検出コンパレートレベルを前記アシンメトリ判定手段において前記アシンメトリが検出されなくなったときの可変コンパレートレベルに設定する
ことを特徴とする光ディスク再生装置。
【発明の詳細な説明】
【技術分野】
【０００１】
本発明は、光ディスク上において光ビームのスポットを移動させ、アクセスやトラッキング引き込み等を行う際に、オントラック、オフトラック状態の判別を行うオフトラック検出回路を備えた光ディスク再生装置に関するものである。
【背景技術】
【０００２】
従来のオフトラック検出回路について図１を用いて説明する。
【０００３】
図１中の２は、複数の情報トラックが並ぶ光ディスク１に光ビームを照射し、反射光に応じた光検出器和信号１０００を出力する光検出器である。
【０００４】
１１は光検出器和信号１０００と、オフトラック検出コンパレートレベル１００１とを比較し、オフトラック・オントラック状態を判別するコンパレータである。このオフトラック・オントラック状態の判別の基準となるオフトラック検出コンパレートレベル１００１は、オフトラック検出コンパレートレベル生成回路１０により生成される。
【０００５】
コンパレータ１１からの出力は、引き伸ばし回路１２を介してオフトラック信号１００２として出力される。
【０００６】
図２は、光ビームのスポットがデータ間をアクセスしているときの光検出器和信号１０００とオフトラック検出コンパレートレベル１００１との関係を示している。ここで、コンパレータ１１の正転入力端子には光検出器和信号１０００が入力され、また、反転入力端子にはオフトラック検出コンパレートレベル１００１が入力されるため、オフトラック信号の波形１００２は、オフトラック検出コンパレートレベル１００１を光検出器和信号１０００が上回ったときにＨｉとなる。また、１００３は、光検出器和信号１０００のピーク側、また、１００４は光検出器和信号１０００のボトム側を示している。光ビームはデータ間をアクセスするために複数の情報トラックを横切るが、このときに、各々の情報トラックの影響を受けるため、光検出器和信号１０００のボトム側１００４にうねり波形が生じる。この光検出器和信号１０００と比較するオフトラック検出コンパレートレベルとして、例えば、特許文献１に記載のオフトラック検出回路では、光検出器和信号１０００のピークレベルとボトムレベルとをサンプルホールドし、その中間値を用いている。
【特許文献１】特開平９−２１９０２７号公報  （７頁  図３）
【発明の開示】
【発明が解決しようとする課題】
【０００７】
しかしながら、従来のオフトラック検出回路を用いた光ディスク再生装置は、アシンメトリディスクを再生している場合、オントラック時であるにも関わらずオフトラックであるとして誤検出してしまうという問題があった。これを図３を用いて説明する。
【０００８】
図３（ａ）は、光ディスク再生装置のステータスが、データ間アクセス時１０２０から、安定再生時１０２１に移行したときの、アシンメトリディスクの光検出器和信号１０００の波形変化を示しており、図３（ｂ）は、安定再生時１０２１のうちの期間１００７を拡大して示している。この図３（ｂ）において１００５は３Ｔ成分の信号を、また、１００６は１１Ｔ成分の信号を示している。このように、アシンメトリディスクは３Ｔ成分のようなＴの短い成分の信号がピークレベル側に偏っている。
【０００９】
光検出器和信号１０００とオフトラック検出コンパレートレベル１００１とをコンパレータ１１によって比較することにより、オフトラック信号１００２が生成されるが、図３（ｂ）の期間１００７に示されるように、３Ｔ成分の信号に続く１１Ｔ成分の信号がオントラックであることから、期間１００７では全てオントラックの状態となっているはずであるが、オフトラック検出コンパレートレベルよりも３Ｔ成分の信号がピーク側に偏っているため、この部分においてオフトラック信号１００２がＨｉとなって現れている。このように、例えば、光検出器和信号１０００のピークレベルとボトムレベルとをサンプルホールドし、その中間値をオフトラック検出コンパレートレベルとして用いるような従来のオフトラック検出回路では、アシンメトリディスクの再生において、オントラック状態をオフトラック状態として誤検出する場合があった。
【００１０】
また上記のアシンメトリディスクに対する誤検出を考慮して、常時、オフトラック検出コンパレートレベル１００１をピーク側にずらした状態にしておくと、アシンメトリディスクを安定再生中のオフトラック誤検出はなくなるが、データ間アクセス時にオフトラック信号のＨｉ区間とＬｏｗ区間との比（Ｄｕｔｙ比）が１対１にならない。したがって、オフトラック信号１００２を正確に読取ることが困難となるので、コンパレートレベルをピーク側に常時ずらした状態にしておくことは出来ない。
【００１１】
本発明は、上記課題を解決するために、データ間アクセス時にオフトラック信号のＤｕｔｙ比をほぼ１対１に保持しつつ、安定再生時においてオフトラックの誤検出を防止することを目的とする。
【課題を解決するための手段】
【００１２】
上記目的を達成するために、本発明では、データ間アクセス時には、オフトラック検出コンパレートレベルを、光検出器和信号のボトムレベルの変化域の略中心レベルに設定しておき、光ディスクの信号が安定して読み出しが可能となったときにオフトラック検出コンパレートレベルをピーク側に所定値だけ上げることにより、光検出器和信号成分がオフトラック検出コンパレートレベルに対してピーク側に外れてオフトラックの誤検出してしまう確率を減少させる。
【００１３】
すなわち、請求項１記載の発明の光ディスク再生装置は、複数の情報トラックが並ぶ光ディスク状の記録媒体に照射される光ビームが、データ間アクセスのために、前記複数の情報トラックを横切って移動する際に、前記記録媒体に照射された前記光ビームの反射光レベルに応じて得られる光検出器和信号のレベルを、オフトラック、オントラックの状態を判別する基準となるオフトラック検出コンパレートレベルと比較することにより、オフトラック、オントラックの状態を検出するオフトラック検出回路を有する光ディスク再生装置において、前記オフトラック検出回路は、前記光ディスク再生装置のステータスが、データ間アクセス時及び情報トラック読出し時の２つのステータスのうち何れであるかを検出し、検出したステータス情報を出力するステータス検出手段と、前記ステータス検出手段から出力された前記ステータス情報を受け、前記ステータス情報が前記データ間アクセス時を示すときは、前記オフトラック検出コンパレートレベルを前記光検出器和信号のボトムレベルの変化域の略中心レベルに設定し、また、前記ステータス情報が前記情報トラック読出し時を示すときは、前記オフトラック検出コンパレートレベルを、前記データ間アクセス時の前記光検出器和信号の前記略中心レベルからピークレベル側に所定値だけシフトさせるコンパレートレベル設定変更手段とを備えたことを特徴とする。
【００１４】
請求項２記載の発明は、請求項１記載の光ディスク再生装置において、前記オフトラック検出回路は、前記光検出器和信号のピークレベル寄りで且つ前記ピークレベルを上回らない第１のコンパレートレベルと前記光検出器和信号とを比較し、オフトラック、オントラックの状態を判別する第１のコンパレータと、前記光検出器和信号のボトムレベル寄りで且つ前記ボトムレベルを下回らない第２のコンパレートレベルと前記光検出器和信号とを比較し、オフトラック、オントラックの状態を判別する第２のコンパレータと、前記第１及び第２のコンパレータからそれぞれ出力されるオフトラック、オントラックの状態を比較することにより前記光検出器和信号のアシンメトリを判定し、判定結果を前記コンパレート設定変更手段に入力する比較手段とを備え、前記コンパレート設定変更手段は、前記ステータス検出手段から得られる前記ステータス情報が前記データ間アクセス時を示す場合、前記オフトラック検出コンパレートレベルを前記略中心レベルに設定し、また、前記ステータス情報が前記情報トラック読出し時を示す場合、前記比較手段からアシンメトリであるという判定結果を得たときに、前記オフトラック検出コンパレートレベルを、前記データ間アクセス時の前記光検出器和信号の前記略中心レベルからピークレベル側に前記所定値だけシフトさせることを特徴とする。
【００１５】
請求項３記載の発明は、請求項１記載の光ディスク再生装置において、前記オフトラック検出回路は、前記光検出器和信号のピークレベル及びボトムレベルの中心である中心コンパレートレベルと前記光検出器和信号とを比較し、オントラック、オフトラックの状態を判別する中心レベルコンパレータと、前記中心レベルコンパレータによる比較結果に基づき、前記光検出器和信号のアシンメトリを判定するアシンメトリ判定手段とを備え、前記コンパレート設定変更手段は、前記ステータス検出手段から得られる前記ステータス情報が前記データ間アクセス時を示す場合、前記オフトラック検出コンパレートレベルを前記略中心レベルに設定し、また、前記ステータス情報が前記情報トラック読出し時を示す場合、前記アシンメトリ判定手段からアシンメトリであるという判定結果を得たときに、前記オフトラック検出コンパレートレベルを、前記データ間アクセス時の前記光検出際信号の前記略中心レベルからピークレベル側に前記所定値だけシフトさせることを特徴とする。
【００１６】
請求項４記載の発明は、請求項１記載の光ディスク再生装置において、前記オフトラック検出回路は、可変のコンパレートレベルを生成する可変コンパレートレベル生成手段と、前記光検出器和信号を、前記可変コンパレートレベルと比較し、オントラック、オフトラックの状態を判別する可変コンパレータと、前記可変コンパレータによる比較結果に基づいて前記光検出器和信号のアシンメトリを判定するアシンメトリ判定手段とを備え、前記可変コンパレートレベル生成手段は、前記ステータス検出手段が前記情報トラック読出し時を示すステータス情報を検出したとき、前記アシンメトリ判定手段において前記アシンメトリが検出されなくなるまで、前記可変コンパレートレベルを、前記光検出器和信号のボトムレベル側からピークレベル側へ上げていき、前記コンパレート設定変更手段は、前記ステータス検出手段から得られる前記ステータス情報が前記データ間アクセス時を示す場合、前記オフトラック検出コンパレートレベルを前記略中心レベルに設定し、また、前記ステータス情報が前記情報トラック読出し時を示す場合、前記オフトラック検出コンパレートレベルを前記アシンメトリ判定手段において前記アシンメトリが検出されなくなったときの可変コンパレートレベルに設定することを特徴とする。
【００１７】
以上により、請求項１〜４記載の発明は、データ間アクセス時及び情報トラック読出し時の２つのステータスを判別し、データ間アクセス時には光検出器和信号のボトムレベル変化域の略中心レベルに設定し、また、情報トラック読出し時には、オフトラック検出コンパレートレベルを、光検出器和信号のピークレベル側へ所定値だけシフトさせるので、ピークレベル側に光検出器和信号の一部の信号成分が偏るアシンメトリディスクに対して、オントラック状態をオフトラック状態として誤検出することを防止できる。
【発明の効果】
【００１８】
以上説明したように、請求項１〜４記載の発明によれば、情報トラック読出しを行う安定再生時に、アシンメトリディスクに対応させて、オフトラック検出コンパレートレベルを所定値だけピークレベル側にシフトさせるので、光検出器和信号のうち、Ｔの短い成分の信号がピークレベル側に偏ってしまうアシンメトリディスクに対してもオフトラック信号の誤検出が無くなり、より正確なオフトラック検出を行うことが可能である。
【発明を実施するための最良の形態】
【００１９】
以下、本発明の実施の形態において、図を用いて説明する。
【００２０】
（第１の実施の形態）
先ず、第１の実施の形態において、図５を用いて光ディスク再生装置の構成を説明し、図４の光検出器和信号の波形を示すことにより、その動作を説明する。
【００２１】
図５は、光ディスク再生装置のうち、光検出器２とオフトラック検出回路の構成を示している。このオフトラック検出回路は、光ディスク１から光検出器２が検出した光検出器和信号１０００と、オフトラック検出コンパレートレベル生成回路５０が生成するオフトラック検出コンパレートレベル１００１とを比較するコンパレータ５１と、このコンパレータ５１の出力波形を引き伸ばし、オフトラック信号１００２を出力する引き伸ばし回路５２とを備える。
【００２２】
本実施の形態に示すオフトラック検出回路は、このような図１のオフトラック検出回路と同様の構成に加えて、光ディスク再生装置のステータスを検出するステータス検出回路５３を備える。このステータス検出回路５３が検出するステータスとは、具体的には、データ間アクセス時と、情報トラック読出しを行う安定再生時との２つのステータスである。また、このステータス検出回路５３の出力するステータス情報に基づいて、オフトラック検出コンパレートレベル生成回路５０を制御し、オフトラック検出コンパレートレベルの設定を変更させるコンパレートレベル設定変更回路５４が備えられる。
【００２３】
この構成のオフトラック検出回路の動作について、図４を用いて説明する。図４（ａ）は、データ間のアクセス時１０２０から情報トラック読出しを行う安定再生時１０２１へと、光ディスク再生装置のステータスが移ったときの、アシンメトリディスクの光検出器和信号１０００の波形及びオフトラック検出コンパレートレベル１００１を示している。また、図４（ｂ）は、安定再生時１０２１のうちの期間１００８を拡大して示している。ここで、１００５の振幅をもつ波形は３Ｔ成分の信号であり、また、１００６の振幅をもつ波形は１１Ｔ成分の信号である。また、破線は、データ間アクセス時１０２０のオフトラック検出コンパレートレベル１００１を示している。
【００２４】
データ間アクセス時１０２０では、光検出器和信号１０００のボトムレベル１００４とオフトラック検出コンパレートレベル１００１との比較により、オントラック、オフトラックの状態が判別される。すなわち、オフトラック検出コンパレートレベル１００１よりも光検出器和信号１０００のボトムレベル１００４が上回ったとき、オフトラック信号１００２はＨｉとなり、逆の関係の場合にＬｏとなって、オントラック、オフトラックの状態が判別される。
【００２５】
そして、安定再生時１０２１に移行後は、オントラックの状態が続くので、ボトムレベル１００４はオフトラック検出コンパレートレベル１００２よりも下の状態となる。しかし、図４（ｂ）に示した期間１００８の拡大波形を見ると、再生している光ディスクがアシンメトリディスクであった場合、３Ｔ成分１００５がピーク側に偏り、データ間アクセス時１０２０で設定されたオフトラック検出コンパレートレベルに対してはピークレベル側に外れてしまっている。
【００２６】
ここで、図４（ａ）に示したように、データ間アクセス時１０２０では、光検出器和信号１０００のボトムレベル１００４の変化域のうち、オフトラック信号１００２がほぼ１対１になるような中心域（略中心レベル）に、オフトラック検出コンパレートレベル１００１が設定される。これにより、Ｔの短い成分の信号がピーク側に偏ってしまっているアシンメトリディスクに対して、オフトラック検出コンパレートレベル１００１をデータ間アクセス時１０２０と同じレベルに設定しておくと、オントラック状態であるにも拘らず、オフトラック状態であると誤認識されてしまう場合がある。そこで、本実施の形態のオフトラック検出回路では、光ディスク再生装置が安定再生時１０２１に移行したことをステータス検出回路（ステータス検出手段）５３が検出し、この検出結果を受けたコンパレートレベル設定変更回路（コンパレート設定変更手段）５４が所定値だけオフトラック検出コンパレートレベル１００１をピーク側にシフトさせる。このように、ステータス検出回路５３の出力するステータス情報に基づいて、オフトラック検出回路は、オフトラックの誤検出を生ずることなく安定して光ディスクを再生することが出来る。
【００２７】
尚、本実施の形態においてステータス検出回路５３が出力するステータス情報は、ディスクの回転同期フラグ又はトラッキングロック信号より生成される。
【００２８】
（第２の実施の形態）
次に、第２の実施の形態において、図６を用いて光ディスク再生装置の構成を説明し、図７の光検出器和信号の波形を示すことにより、その動作を説明する。
【００２９】
本実施の形態の図６に示したのは、光ディスク再生装置のうち、光検出器２とオフトラック検出回路の構成である。このオフトラック検出回路は、ステータス検出回路（ステータス検出手段）６０が出力するステータス情報に基づいて、コンパレートレベル設定変更回路（コンパレート設定変更手段）６１がオフトラック検出コンパレートレベル１００１を変更することにより、アシンメトリディスクに対応した動作をする。ステータス検出回路６０、コンパレートレベル設定変更回路６１、オフトラック検出コンパレートレベル生成回路１０、コンパレータ１１及び引き伸ばし回路１２からなる構成については、第１の実施の形態に示した図５のオフトラック検出回路と同様である。
【００３０】
本実施の形態のオフトラック検出回路では、上記構成に対して、更に、確実にアシンメトリを検出するためのアシンメトリ検出部６９が加わる。
【００３１】
アシンメトリ検出部６９は、２つのコンパレータ６５、６６を備える。コンパレータ６５は、正転コンパレートレベル生成回路６７が生成する正転コンパレートレベル（第１のコンパレートレベル）１０１０と光検出器和信号１０００とを比較する正転コンパレータ（第１のコンパレータ）である。また、コンパレータ６６は、反転コンパレートレベル生成回路６８が生成する反転コンパレートレベル（第２のコンパレートレベル）１０１１と光検出器和信号１０００とを比較する反転コンパレータ（第２のコンパレータ）である。ここで、正転コンパレートレベル１０１０は、光検出器和信号１０００のピークレベル側であって、且つピークレベルを上回らない範囲に設定され、ピークレベル側でのオントラック、オフトラック判別の基準となる。また、反転コンパレートレベル１０１１は、光検出器和信号１０００のボトムレベル側であって、且つボトムレベルを下回らない範囲に設定され、ボトムレベル側でのオントラック、オフトラック判別の基準となる。そして、正転コンパレータ６５の出力１００９はサンプリング回路６２に、また、反転コンパレータ６６の出力１０１２はサンプリング回路６３に入力され、あるサンプル期間についてクロックに基づいてサンプリングされる。これら、サンプリング回路６２、６３によりサンプリングされた結果は、比較器（比較手段）６４に入力されて比較される。
【００３２】
ここで、アシンメトリ検出部６９が、光ディスクのアシンメトリを検出する動作について、図７の波形図を用いて説明する。
【００３３】
図７中の１００９は、光検出器和信号１０００と、ピークレベル寄りに設定された正転コンパレートレベル１０１０とを比較して正転コンパレータ６５が出力する正転コンパレート結果である。ここで、光検出器和信号１０００が正転コンパレートレベル１０１０を上回ったとき、正転コンパレート結果はＨｉとなる。また、１０１２は、光検出器和信号１０００と、ボトムレベル寄りに設定された反転コンパレートレベル１０１１とを比較して反転コンパレータ６６が出力する反転コンパレート結果である。ここで、光検出器和信号１０００が反転コンパレートレベルを下回ったとき、反転コンパレート結果はＨｉとなる。
【００３４】
図７に示した光検出器和信号１０００のうち、中央の振幅の小さい部分では、波形がピーク側に偏っている。このため、この中央の小振幅波形は、正転コンパレートレベル１０１０とは交差するが、反転コンパレートレベル１０１１とは交差しない。したがって、この中央の小振幅波形の期間においては、正転コンパレート結果はＨｉの信号を含むが、反転コンパレート結果はＨｉの信号を含まない。これにより、正転コンパレート結果と反転コンパレート結果とに含まれるＨｉ信号の差から、光検出器和信号１０００のピークレベル側への偏りを検出することができる。
【００３５】
このように、本実施の形態のオフトラック検出回路におけるコンパレートレベル設定変更回路６１は、ステータス検出回路６０から出力されるステータス情報と、アシンメトリ検出部６９の比較器６４から出力されるアシンメトリ検出結果とを受ける。そして、ステータスが安定再生時１０２１に移行した情報をステータス情報により得た場合において、アシンメトリ検出部６９の出力するアシンメトリ検出結果にアシンメトリが有るときは、コンパレートレベル設定変更回路６１は、オフトラック検出コンパレートレベル１００１をピーク側に所定値だけシフトさせる。
【００３６】
以上のように、第１の実施の形態に示した図５のオフトラック検出回路が、安定再生時１０２１へステータスが移行したときに、このステータスの変化のみを判断材料として、オフトラック検出コンパレートレベル１００１を所定値だけピークレベル側にシフトさせるのに対し、本実施の形態では、安定再生時１０２１に移行し、更に、アシンメトリが検出された場合にのみ、オフトラック検出コンパレートレベル１００１をピークレベル側にシフトさせることができるので、より正確なオフトラック検出が可能である。
【００３７】
（第３の実施の形態）
次に、第３の実施の形態において、図８を用いて光ディスク再生装置の構成を説明し、図９の光検出器和信号の波形を示すことにより、その動作を説明する。
【００３８】
本実施の形態の図８に示したのは、光ディスク再生装置のうち、光検出器２とオフトラック検出回路の構成である。このオフトラック検出回路は、ステータス検出回路（ステータス検出手段）８０が出力するステータス情報に基づいて、コンパレートレベル設定変更回路（コンパレート設定変更手段）８１がオフトラック検出コンパレートレベル１００１を変更することにより、アシンメトリディスクに対応した動作をする。ステータス検出回路８０、コンパレートレベル設定変更回路８１、オフトラック検出コンパレートレベル生成回路１０、コンパレータ１１及び引き伸ばし回路１２からなる構成については、第１の実施の形態に示した図５のオフトラック検出回路と同様である。
【００３９】
本実施の形態のオフトラック検出回路では、上記構成に対して、更に、確実にアシンメトリを検出するためのアシンメトリ検出部８６が加わる。
【００４０】
アシンメトリ検出部８６は、１つのコンパレータ８４を備える。コンパレータ８４は、光検出器和信号１０００のピークレベルとボトムレベルとの中心のコンパレートレベル１０１３に対して、光検出器和信号１０００を比較する。この中心コンパレートレベル１０１３は、中心コンパレートレベル生成回路８５により生成される。コンパレータ（中心レベルコンパレータ）８４による比較結果１０１４は、サンプリング回路８２に入力される。そして、サンプリング回路８２における、有る期間の比較結果１０１４に対するサンプリング結果がＤｕｔｙ検出器８３に入力される。
【００４１】
ここで、アシンメトリ検出部８６が、光ディスクのアシンメトリを検出する動作について、図９の波形図を用いて説明する。
【００４２】
図９の１０１４は、光検出器和信号１０００と、この光検出器和信号のピークレベルとボトムレベルとの中心に設定された中心コンパレートレベル１０１３とを比較して、コンパレータ８４が出力する比較結果である。図９に示すように、光検出器和信号１０００が中心コンパレートレベル１０１３を上回ったとき、比較結果はＨｉとなる。
【００４３】
図９に示した光検出器和信号１０００のうち、中央の振幅の小さい部分では、波形がピーク側に偏っている。このため、この中央の小振幅波形は、中心コンパレートレベル１０１３と交差しない部分を含む。そして、この交差しない部分に対応する比較結果１０１４にはＨｉ信号の期間が長くなる。したがって、Ｄｕｔｙ検出器（アシンメトリ判定手段）８３を用いて、このＨｉ信号の期間が長くなっているか否かを判定することによって、光検出器和信号１０００のピークレベル側への偏りが検出される。
【００４４】
このように、本実施の形態のオフトラック検出回路におけるコンパレートレベル設定変更回路８１は、ステータス検出回路８０から出力されるステータス情報と、アシンメトリ検出部８６のＤｕｔｙ検出器８３から出力されるアシンメトリ検出結果とを受ける。そして、ステータスが安定再生時１０２１に移行した情報をステータス情報により得た場合において、アシンメトリ検出部８６の出力するアシンメトリ検出結果にアシンメトリが有るときは、コンパレートレベル設定変更回路８１は、オフトラック検出コンパレートレベル１００１をピーク側に所定値だけシフトさせる。
【００４５】
以上のように、第２の実施の形態に示した図６のオフトラック検出回路が、安定再生時１０２１へステータスが移行したときに、２つのコンパレート６５、６６を用いてアシンメトリを検出するの対し、本実施の形態では、安定再生時１０２１におけるアシンメトリ検出には、１つのコンパレータ８４のみを用いてアシンメトリの検出を行い、アシンメトリが検出された場合にのみ、オフトラック検出コンパレートレベル１００１をピークレベル側に所定値だけシフトさせる。これにより、第１の実施の形態のオフトラック検出回路に比べて、正確なオフトラック検出が行えることに加えて、第２の実施の形態のオフトラック検出回路よりの回路規模を小さくすることができる。
【００４６】
（第４の実施の形態）
次に、第４の実施の形態において、図１０を用いて光ディスク再生装置の構成を説明し、図１１の光検出器和信号の波形を示すことにより、その動作を説明する。
【００４７】
本実施の形態の図１０に示したのは、光ディスク再生装置のうち、光検出器２とオフトラック検出回路の構成である。このオフトラック検出回路は、第３の実施の形態に示した図８のオフトラック検出回路とほぼ同様の構成であるが、コンパレータ１０１が可変のコンパレートレベル１０１５と光検出器和信号１０００とを比較する構成において異なっている。この可変コンパレートレベル１０１５は、可変コンパレートレベル生成回路（可変コンパレートレベル生成手段）１００により生成される。
【００４８】
このような構成において、図１０のオフトラック検出回路では、光検出器和信号１０００と可変コンパレートレベル１０１５とを比較し、この比較結果１０１６をサンプリング回路８２にて、有る一定期間サンプリングする。このサンプリング結果はＤｕｔｙ検出器（アシンメトリ判定手段）８３に入力され、Ｄｕｔｙ比が判定される。そして、可変コンパレートレベル生成回路１００により、可変コンパレートレベル１０１５は、光検出器和信号１０００のボトムレベル側からピークレベル側に向かって、サンプリング結果のＤｕｔｙ比が１対１になるまで変更される。そして、コンパレートレベル設定変更回路８１は、Ｄｕｔｙ比が１対１になり、アシンメトリが検出されなくなったときの可変コンパレートレベル１０１５の情報をＤｕｔｙ検出器８３から受けて、この可変コンパレートレベル１０１５とオフトラック検出コンパレートレベル１００１とが同じレベルになるように設定変更を行う。
【００４９】
ここで、可変コンパレートレベル１０１５が変更される動作を、図１１の波形図を用いて説明する。
【００５０】
図１１の１０１６は、光検出器和信号１０００と可変コンパレートレベル１０１５とを比較したときの比較結果（オフトラック信号）である。この比較結果（オフトラック信号）１０１６は、光検出器和信号１０００が可変コンパレートレベル１０１５を上回ったとき、Ｈｉとなる。図１１の状態では、光検出器和信号１０００の中央にある、振幅の小さい部分に対して、可変コンパレートレベル１０１５が交差しておらず、この部分の比較結果（オフトラック信号）１０１６は全てＨｉ信号になっている。本実施の形態では、このようなアシンメトリディスクに対して、可変コンパレートレベル１０１５がピークレベル側にシフトされ、Ｄｕｔｙ比が１対１になるレベルに設定される。
【００５１】
このように、本実施の形態のオフトラック検出回路におけるコンパレートレベル設定変更回路８１は、ステータス検出回路８０から出力されるステータス情報と、Ｄｕｔｙ検出器８３から出力されるＤｕｔｙ検出結果とを受ける。そして、ステータスが安定再生時１０２１に移行した情報をステータス情報により得た場合、コンパレートレベル設定変更回路８１は、Ｄｕｔｙ比が１対１になったときの可変コンパレートレベル１０１５に設定変更するための情報をＤｕｔｙ検出器８３から得る。そして、このＤｕｔｙ比が１対１になる可変コンパレートレベル１０１５の情報に基づいて、オフトラック検出コンパレートレベル１００１をシフトさせて、アシンメトリディスクに対応する。
【００５２】
以上のように、第２、第３の実施の形態に示したオフトラック検出回路が、アシンメトリを検出したときに、所定値だけオフトラック検出コンパレートレベル１００１をピーク側にシフトさせるのに対して、本実施の形態のオフトラック検出回路は、Ｄｕｔｙ比が１対１になるようにオフトラック検出コンパレートレベル１００１を変更するので、更に、正確にオフトラック検出を行うことが可能である。
【産業上の利用可能性】
【００５３】
本発明の光ディスク再生装置は、アシンメトリディスクの再生時において、オフトラック信号の誤検出を防ぐオフトラック検出回路を備え、正確にオフトラック検出を行うことができるので、情報トラックが並んだ光ディスク状の記録媒体の情報読み取り／書き込み装置等に有用である。
【図面の簡単な説明】
【００５４】
【図１】従来の光ディスク再生装置におけるオフトラック検出回路図である。
【図２】従来のオフトラック検出回路におけるアクセス中の光検出器和信号とオフトラック信号との波形図である。
【図３】従来のオフトラック検出回路におけるアシンメトリディスクの光検出器和信号とオフトラック信号との波形図であって、（ａ）は、アクセス状態から安定再生状態に移ったときの波形図、（ｂ）は、安定再生状態において、オフトラック誤検出が発生した期間の拡大図である。
【図４】本発明の第１の実施の形態におけるアシンメトリディスクの光検出器和信号とオフトラック信号との波形図であって、（ａ）は、アクセス状態から安定再生状態に移ったときの波形図、（ｂ）は、安定再生状態において、オフトラック誤検出を生ずることなくアシンメトリディスクが再生できていることを示す拡大図である。
【図５】本発明の第１の実施の形態における、ステータス情報を用いてオフトラック検出コンパレートレベルを変更する光ディスク再生装置内のオフトラック検出回路の構成図である。
【図６】本発明の第２の実施の形態における、アシンメトリ検出のためコンパレータを２個用いた光ディスク再生装置内のオフトラック検出回路の構成図である。
【図７】本発明の第２の実施の形態における、アシンメトリ検出のためコンパレータを２個用いたときのコンパレート波形図である。
【図８】本発明の第３の実施の形態における、アシンメトリ検出のためコンパレータを１個用いた光ディスク再生装置内のオフトラック検出回路の構成図である。
【図９】本発明の第３の実施の形態における、アシンメトリ検出のためコンパレータを１個用いたときのコンパレート波形図である。
【図１０】本発明の第４の実施の形態における、アシンメトリ検出のため可変コンパレータを用いた光ディスク再生装置内のオフトラック検出回路の構成図である。
【図１１】本発明の第４の実施の形態における、アシンメトリ検出のため可変コンパレートレベルでコンパレートした波形図である。
【符号の説明】
【００５５】
２                    光検出器
１０００              光検出器和信号
１００１              オフトラック検出コンパレートレベル
１１、５１、８４      正転コンパレータ
６５                  正転コンパレータ（第１のコンパレータ）
５３、６０、８０      ステータス検出回路（ステータス検出手段）
５４、６１、８１      コンパレートレベル設定変更回路
（コンパレートレベル設定変更手段）
６４                  比較器（比較手段）
６６                  反転コンパレータ（第２のコンパレータ）
６９、８６            アシンメトリ検出部
８３                  Ｄｕｔｙ検出器（アシンメトリ判定手段）
８５                  中心コンパレートレベル生成回路
（中心コンパレートレベル生成手段）
１００                可変コンパレートレベル生成回路
（可変コンパレートレベル生成手段）
１００２              オフトラック信号
１００３              光検出器和信号ピーク側
１００４              光検出器和信号ボトム側
１００５              光検出器和信号の３Ｔ成分
１００６              光検出器和信号の１１Ｔ成分
１０１０              正転コンパレータのコンパレートレベル
（第１のコンパレートレベル）
１０１１              反転コンパレータのコンパレートレベル
（第２のコンパレートレベル）
１０１３              中心コンパレートレベル
１０１５              可変コンパレートレベル
１０２０              データ間をアクセスする期間
１０２１              情報トラック読出しの安定再生期間
【図１】
2006302423.tif 000003
【図２】
2006302423.tif 000004
【図３】
2006302423.tif 000005
【図４】
2006302423.tif 000006
【図５】
2006302423.tif 000007
【図６】
2006302423.tif 000008
【図７】
2006302423.tif 000009
【図８】
2006302423.tif 000010
【図９】
2006302423.tif 000011
【図１０】
2006302423.tif 000012
【図１１】
2006302423.tif 000013